(57)【特許請求の範囲】
【請求項１】
ガイドワイヤフィルタ装置であって：
単一のガイドワイヤ；
開口端を含んでいるフィルタメッシュ；および
開口端をガイドワイヤの先端に連結し且つ半径方向非対称的に配置されている単一の支柱；を包含し、
支柱およびガイドワイヤの間に鈍角が形成されている、ガイドワイヤフィルタ装置。
【請求項２】
フィルタメッシュがフィルタバスケットを包含している、請求項１に記載のガイドワイヤフィルタ装置。
【請求項３】
支柱がガイドワイヤの部品である、請求項１に記載のガイドワイヤフィルタ装置。
【請求項４】
支柱がフィルタメッシュの部品である、請求項１に記載のガイドワイヤフィルタ装置。
【請求項５】
近位端、遠位端およびそれらを通して延びる内腔を含んでいるシース；
上記内腔内に配置されている単一のガイドワイヤ；
開口端を含み、かつ開口端およびシースが実質的に同芯であるフィルタメッシュ；および
開口端をガイドワイヤの先端に連結する単一の支柱を包含し、
鈍角が支柱およびガイドワイヤの間に形成されているガイドワイヤフィルタ装置。
【請求項６】
フィルタメッシュがフィルタバスケットを包含している、請求項５に記載のガイドワイヤフィルタ装置。
【請求項７】
支柱がガイドワイヤの部品である、請求項５に記載のガイドワイヤフィルタ装置。
【請求項８】
支柱がフィルタメッシュの部品である、請求項５に記載の支柱がガイドワイヤの部品である、請求項５に記載のガイドワイヤフィルタ装置。
【発明の詳細な説明】
【技術分野】
【０００１】
本発明は、一般に、主要血管内のプラーク堆積物および閉塞物を治療することに関する。詳しくは、上行大動脈、大動脈弓部、または頚動脈内の移動性大動脈プラークの離脱を防止する装置および方法、ならびに、頚動脈内の閉塞物を治療するために経皮カテーテル内にステントおよびフィルタを配備する装置および方法に関する。
【背景技術】
【０００２】
血管壁にプラークまたは他の物質が堆積することによって生じる患者内の狭窄または閉塞血管を開くために、現在いくつかの処置が用いられている。例えば、血管形成術は、膨張可能バルーンを閉塞領域に導入する広く知られた処置である。バルーンを膨張させて閉塞を広げ、これにより管の内径を大きくする。血管形成中にプラーク物質が意図せず引き離されることがあり、この後、この物質は下流側に自由に移動し、恐らくは血管の別の部分に留まるか、または恐らくは生体器官に達して患者に損傷を与える。
【０００３】
別の処置では、動脈および他の血管内の狭窄は、狭窄領域にステントを永久にまたは一時的に導入して血管腔を開くことによって治療される。ステントは、典型的には、ステンレススチールまたはニチノールなどの材料よりなるほぼ円筒形のチューブまたはメッシュスリーブである。この材料の設計により、ステントの直径を半径方向に拡張することができる一方で、ステントが一旦所望のサイズに拡大されるとその形状が維持されるように十分な剛性も与えられる。
【０００４】
一般に、ターゲット領域より長いステントが選択され、使用前にカテーテル上に配置される。カテーテルは、典型的には、遠位端近くに、内圧を加えると所望のサイズに膨張するように設計された柔軟なバルーンを有する。ステントは、典型的には手によって、カテーテルに取り付けられバルーンの上から圧縮されて、これにより、血管を通って患者の体内の所望位置に移動するとき、ステントが確実に動かないようにされる。もしくは、自己拡張型ステントを使用してもよい。
【０００５】
ステントは典型的には既知の経皮的方法を用いて所望の血管に導入される。カテーテルは、これにしっかりとクランプ圧着されたステントと共に、治療される血管領域に向けて進められる。カテーテルは、ステントが狭窄領域にわたって中心に位置するように位置付けられる。バルーンを、典型的には、バルーンと連通するカテーテル内の内腔を通してガスまたは食塩水などの流体を導入することによって膨張させる。バルーンの膨張により、ステントは半径方向に拡張し、これにより狭窄物質と係合する。ステントが拡張するに従って物質は外向きに押され、血管腔を広げる。
【０００６】
ステント材料の実質的な剛性により、ステントは拡張した形状を維持し、血流のための開通路を提供する。この後バルーンを収縮させ、カテーテルを退却させる。
【０００７】
ステントは多くの場合メッシュ材料から構成されるため、ステントは典型的には半径方向に拡張するとき長さ方向に収縮する。ステントと血管壁との間に捕捉された狭窄物質は、メッシュの開口部を通って延び、この長さ方向の収縮により切断され、遊離塞栓性デブリスを生成することがある。この物質が下流に移動すると、重大な合併症を引き起こし得る。例えば、上行大動脈、大動脈弓、または頚動脈内で放出された遊離塞栓性物質は下流に移動して脳に達し、恐らくは発作を引き起こし、これは患者の永久的な傷害または死さえ導く結果となり得る。
【０００８】
従って、塞栓性物質が血管に逃れ下流位置で妨害物となる危険性を実質的に低減させる、ステントを動脈内閉塞位置に送達する装置および方法が必要とされる。また、上行大動脈、大動脈弓、下行大動脈、および頚動脈の壁に堆積されたプラークが離脱するのを実質的に防ぐ装置および方法が必要とされる。さらに、インターベンション処置中に遊離塞栓性物質を実質的に大動脈および頚動脈内に閉じ込めこれが脳に達するのを防ぐ装置および方法が必要とされる。
【発明の開示】
【発明が解決しようとする課題】
【０００９】
本発明は、塞栓性物質が大動脈、頚動脈、および一般に他の動脈内のインターベンション部位から逃れて脳などの生体器官に損傷を引き起こすのを防ぐ装置および方法を提供する。詳しくは、本発明は、上行大動脈、下行大動脈、大動脈弓、総頚動脈、外頚動脈および内頚動脈、腕頭動脈、中大脳動脈、前大脳動脈、後大脳動脈、椎骨動脈、脳低動脈、鎖骨下動脈、上腕動脈、腋窩動脈、回腸動脈、腎動脈、大腿動脈、膝窩動脈、腹腔動脈、上腸間膜動脈、下腸間膜動脈、前脛骨動脈、後脛骨動脈などの、プラーク堆積物を有する人体内の主要血管の領域にステントを導入し、これにより閉塞を開くこと、および／または塞栓性材料が血管内で自由に破れるのを防止することを実現する装置および方法を包含する。
【課題を解決するための手段】
【００１０】
第１の実施形態では、本発明は、拡張可能フィルタが取り付けられたガイドワイヤと、ステントカテーテルとを含む。カテーテルは、遠位端またはその近くに取り付けられた膨張可能バルーンと、カテーテルの近位領域とバルーンとの間をカテーテルを通して延びる膨張用内腔とを有する。ステントがカテーテルの外表面に配備され、バルーンと実質的に係合する。一般に、ステントは膨張可能で実質的に剛性のチューブ、シート、ワイヤ、またはバネであるが、好ましくは円筒状メッシュスリーブである。パルマッツ（Palmaz）の米国特許第4,733,665号を参照。本特許は本明細書において参考として援用されている。
【００１１】
もしくは、ステントは、好ましくはニチノールよりなる自己拡張型スリーブであってもよい。この場合には、ステントカテーテルは膨張可能バルーンを必要としない。代わりに、ステントはカテーテル上で圧縮され、シースまたは外部カテーテルがステントを覆って被せられてステントを展開時まで圧縮状態で保持する。
【００１２】
ガイドワイヤは遠位端またはその近くに取り付けられたフィルタアセンブリを有し、フィルタアセンブリは、収縮状態から拡大状態まで開くようにされた拡張フレームを含む。拡張フレームには、典型的には目の細かいメッシュであるフィルタ材料が取り付けられ、血液からの望ましくない塞栓性物質を濾過する。
【００１３】
収縮状態にある拡張フレームを有するガイドワイヤは、シースまたはカニューレを通して配備されるかまたは、好ましくは、ステントカテーテル内に直接含まれる。カテーテルは、典型的には、近位領域から遠位端まで延びる第２の内腔を有し、ガイドワイヤはこれに導入される。次にガイドワイヤの遠位端のフィルタアセンブリは、ステント送達中に使用されるために、カテーテルの遠位端を超えて延ばされ利用可能となる。
【００１４】
装置は、典型的には、患者の好ましくは頚動脈内の狭窄または閉塞領域にステントを導入するために使用される。カテーテルが血管内に経皮的に導入され、血管を通して所望領域に向けて進められる。フィルタ装置が個別のシース内に配備される場合は、シースは治療領域より下流側の血管内に経皮的に挿入され、定位置に固定される。
【００１５】
フィルタアセンブリが血管内に導入され、拡張フレームが拡大状態へと開かれて、フィルタメッシュが血管壁と実質的に係合するまで実質的に血管を横断して延びる。
【００１６】
カテーテルは、ステントが血管壁に堆積されたプラークにわたって中心に位置するまで、治療領域を通って挿入される。流体、好ましくは食塩水が膨張用内腔を通して導入され、バルーンを膨張させ、そしてステントをプラークと係合するように外方向に拡張させる。ステントはプラークをこの領域から押しのけて血管を広げる。バルーンを収縮させ、カテーテルをこの領域からそして患者から退却させる。ステントは実質的に永久にその位置に留まり、血管を開き、プラークをステントの下に捕捉する。
【００１７】
狭窄領域が開くに従って、塞栓性物質が血管壁から砕けて離れるかもしれないが、移動して体内の他の部分に留まるのではなく、フィルタメッシュに当たってこれに捕獲されることになる。ステントが送達された後は、拡張フレームは、フィルタメッシュ内に捕獲された物質を閉じ込めたままで閉じられる。フィルタアセンブリがシースまたはカテーテル自体に引き戻され、シースまたはカテーテルが体内から除去される。
【００１８】
自己拡張型ステントが使用される場合は、圧縮ステントを外部に取り付けたステントカテーテルがシースに挿入され、シースによりステントは圧縮状態に保持される。カテーテルが患者の血管内に導入され、ターゲット領域に向けて進められる。ステントが狭窄領域にわたって位置決めされ、フィルタアセンブリが定位置につくと、シースはカテーテルに対して近位方向に引かれる。これによりステントは露出し、拡張して血管壁に係合し、管腔を開く。次にフィルタアセンブリは閉じられ、カテーテルを患者から退却させる。
【００１９】
フィルタアセンブリは多くの好適な形態を有する。例えば、拡張フレームは、ガイドワイヤの遠位端に取り付けられ遠位端から遠位方向に延びる複数の支柱またはアームを備えてもよい。支柱は各端部で互いに接続され、また半径方向に拡張するようにバイアスされた中間領域を有する。フィルタメッシュは、典型的には、支柱の中間領域と遠位端との間に取り付けられ、これによりほぼ半球形または円錐形のフィルタアセンブリが規定される。
【００２０】
フィルタアセンブリをシースの内腔に挿入するためには、拡張フレームの中間領域が圧縮される。フィルタアセンブリが血管に導入される準備が整うと、ガイドワイヤが遠位方向に押される。拡張フレームが内腔から外に出ると、支柱が半径方向に自動的に開く。これによりフィルタメッシュが拡張して、血管を実質的に横断する。ステントが送達された後、ガイドワイヤが近位方向に引かれ、フィルタアセンブリを退却させる。フィルタアセンブリがシース内に引き入れられるに従って、支柱はフィルタ内腔の壁に接触し、押し付けられて圧縮し、フレームは閉じる。
【００２１】
別の実施形態では、拡張フレームは、シースの遠位端に取り付けられた複数の支柱を含む。支柱はシースから遠位方向に延び、シースを超えて露出されるガイドワイヤの遠位端に取り付けられる。支柱は中間領域で切り目が付けられているかまたは半径方向に開くようにバイアスされる。フィルタメッシュは、中間領域とガイドワイヤの遠位端との間で支柱に取り付けられる。
【００２２】
フィルタアセンブリは、シースの端部に露出された状態で、または、好ましくは部分的に退却してフィルタアセンブリを露出させる第２のシース内で、血管内の適所に向けて進められる。シースを固定させた状態で、ガイドワイヤが近位方向に引かれる。これにより支柱は収縮されて、中間領域で曲がるかまたはゆがみ、半径方向に外向きに移動して、フィルタメッシュが血管を横断して拡張する。使用後は、ガイドワイヤが遠位方向に押されて、支柱を引き戻し、フィルタメッシュを閉じる。
【００２３】
この実施形態の変形例では、シースの遠位端とガイドワイヤの遠位端とに取り付けられた支柱は、中間領域で半径方向に拡張するようにバイアスされる。フィルタメッシュは、中間領域とガイドワイヤの遠位端との間で支柱に取り付けられる。患者への導入前に、ガイドワイヤをシースに対して捩じり方向に回転させて、支柱をガイドワイヤの回りに軸方向に巻き付けてフィルタメッシュを圧縮させる。血管内の定位置に着くと、ガイドワイヤを反対方向に回転させて支柱の巻きを解除する。支柱は半径方向に拡張し、フィルタメッシュが開く。使用後は、ガイドワイヤをもう一度回転させて支柱を巻き付け、フィルタメッシュを閉じて除去する。
【００２４】
さらに別の実施形態では、フィルタアセンブリは、ガイドワイヤに直列に取り付けられた複数のほぼ円筒形の圧縮可能なスポンジ状装置を備える。装置は、非圧縮状態のとき血管の開領域とほぼ同じ直径を有する。これらの装置は、血液は自由に通過させるが、遊離塞栓性物質などの望ましくない実質的により大きな粒子は捕捉するのに十分な多孔性を有する。
【００２５】
装置は使用前にシースの内腔に圧縮して挿入される。定位置につくと、装置はガイドワイヤを遠位方向に押すことによって血管内に導入される。装置は血管に入り非圧縮サイズへと拡張して血管壁に実質的に係合する。使用後は、ガイドワイヤが近位方向に引かれ、装置はシースの遠位端に押し付けられ圧縮されて内腔内に戻される。
【００２６】
第２の実施形態でも、ステントカテーテルおよびフィルタアセンブリが提供される。前の実施形態とは異なり、フィルタアセンブリは主として機械的に操作されるのではなく一般に流体操作される。典型的には、ステントカテーテルはカテーテルの遠位端またはその近くに第２のバルーンを含む。第２の膨張用内腔がカテーテルの近位領域からバルーンまでカテーテルを通って延びる。バルーンは拡張フレームの一部であるか、または単に拡張フレームを作動させて、使用のためにフィルタアセンブリを拡大状態へと開き、使用後にこれを閉じる働きをする。
【００２７】
別の形態では、バルーンは環状形態を有する。フィルタメッシュをバルーンの周囲に取り付け、円錐形または半球形のフィルタアセンブリを形成する。可撓性の内腔が、カテーテル内でバルーンと膨張用内腔との間を延びる。場合によっては、バルーンとカテーテルとの間に保持ワイヤを対称となるように接続して、これによりバルーンを実質的にカテーテルとの所望の関係に保持する。
【００２８】
収縮されると、バルーンは実質的にカテーテルの周囲に係合してフィルタメッシュを閉じた状態に保持し、カテーテルが所望の位置に向かって進むことが可能となる。カテーテルが定位置につくと、バルーンを膨張させる。バルーンは血管壁に係合するまで半径方向に拡張し、これによりフィルタメッシュは実質的に血管を横断する。使用後は、バルーンはカテーテルの周囲に再び係合するまで収縮され、これにより、フィルタメッシュとカテーテルの外壁との間のすべての塞栓性物質を捕捉する。
【００２９】
もしくは、本実施形態のバルーンは、逆行使用（retrograde use）のためにステントより近位側のカテーテル上に配置してもよい。この場合には、フィルタメッシュは、閉鎖端は持たず、バルーンとカテーテルの外表面との間を延びる。
【００３０】
本発明の第３の実施形態では、ステントカテーテルを、拡張可能なフィルタアセンブリと共に、あるいはこれを配備せずに、上行大動脈、大動脈弓または頚動脈内の移動性大動脈堆積物が離脱するのを防ぐために使用する方法が提供される。前述のように、ステントカテーテルは外部に取り付けられた膨張可能なバルーンおよびステントを有するか、または自己拡張型ステントおよび保持シースを有する。カテーテルは経皮的に血管に導入され、移動性大動脈プラーク堆積物を有する領域、好ましくは上行大動脈または大動脈弓の一部に向かって進められる。
【００３１】
ステントは所望領域にわたって位置決めされ、バルーンの膨張が行われる。これによりステントが膨張してプラーク堆積物および血管壁に係合し、この結果プラーク堆積物を捕捉する。バルーンは収縮され、カテーテルは血管から除去される。もしくは、自己拡張型ステントが使用される場合は、シースを近位方向に部分的に退却させてステントを露出させ、拡張を可能にする。ステントは実質的にその拡張形状を維持し、これによってプラークをステントの下に閉じ込めてプラークが実質的にこの領域から離脱して下流側に移動するのを防ぐ。
【００３２】
場合によっては、既述のフィルタ装置に類似するフィルタ装置を治療領域より下流側の位置に導入してもよい。このフィルタ装置はシース内に配備され、シースは血管に経皮的に挿入される。しかし、好ましくは、フィルタ装置はステントより近位側の位置でステントカテーテルに取り付けられる。フィルタアセンブリは、ガイドワイヤに取り付けられる代わりに、ステントより近位側のカテーテルの外表面に直接接続される。典型的にはシースまたはカニューレがフィルタアセンブリを覆うようにカテーテルに被せて配備される。
【００３３】
カテーテルが血管内の定位置につくと、シースを近位側に退却させ、フィルタアセンブリを露出させてその拡大状態へと拡張させる。好適な形態では、拡張フレームは、上述のものに類似するバイアスされた支柱を含み、フィルタアセンブリが露出すると支柱は自動的に半径方向に拡張し、支柱に取り付けられたフィルタメッシュが開くようにされる。ステントが展開された後、シースを近位方向に移動させることにより、シースが拡張フレームを覆い、支柱を縮小させて収縮状態に戻す。次にカテーテルおよびシースを患者から退却させる。
【００３４】
従って、本発明の目的は、上行大動脈、大動脈弓、または頚動脈内に堆積された移動性大動脈プラークが離脱して体内の望ましくない領域に移動するのを防ぐ装置および方法を提供することである。
【００３５】
別の目的は、頚動脈内の狭窄または閉塞領域を治療する装置および方法を提供することである。
【００３６】
さらに別の目的は、頚動脈の狭窄または閉塞領域を治療するために、処置中に放出されるすべての塞栓性物質を実質的に捕獲するステントを導入する装置および方法を提供することである。
【発明を実施するための最良の形態】
【００３７】
図１を参照して、本発明の第１の実施形態、すなわちステントカテーテル１０とフィルタ装置３０とを示す。ステントカテーテル１０は、典型的には、カテーテル本体１２と膨張可能バルーン１６とステント２０とを含む。カテーテル本体１２は、典型的には、近位端（図示せず）と遠位端１４とを有する実質的に可撓性の部材である。バルーンはカテーテル本体１２の遠位端１４またはその近くの領域に取り付けられている。膨張用内腔１８がカテーテル本体１２の近位端またはその近くの領域からバルーン１６まで長さ方向に延びている。
【００３８】
ステント２０は、典型的には手でバルーン１６上に圧縮させることによってバルーン１６を覆って配備される。ステント２０は、チューブ、シート、ワイヤ、メッシュまたはバネよりなるが、好ましくは、実質的に剛性であるが半径方向の圧力が加えられると拡張可能なほぼ円筒形のワイヤメッシュスリーブである。本開示の他の個所で説明するステント装置などの、多くの既知のステント装置が本発明で使用するのに適切である。一般にステントはステンレススチールまたはニチノールなどの材料により提供されるが、ステンレススチールが最も好適である。
【００３９】
もしくは、レーガン（Regan）の米国特許第4,795,458号、ハラダ（Harada）らの米国特許第5,037,427号、ハラダの米国特許第5,089,005号、およびモリ（Mori）の米国特許第5,466,242号に開示されているような自己拡張型ステント（図示せず）を使用してもよい。これらの特許の開示は本明細書において参考として援用されている。このようなステントは、典型的には、実質的に弾性でありしかも圧縮可能であるニチノールまたは類似の材料から提供される。拡張可能ステントが使用されるときは、ステントカテーテルは一般にステントのための膨張可能バルーンは含まない。代わりに、ステントはカテーテル上に直接圧縮され、ステントが展開時まで拡張しないようにするためにステントを覆ってシースが配置される。
【００４０】
カテーテル１０に加えて、本発明は典型的にはフィルタ装置３０を含む。フィルタ装置３０は、一般に、導入シース３２とガイドワイヤ４０と拡張可能フィルタアセンブリ５０とを備えている。もしくは、ガイドワイヤ４０とフィルタアセンブリ５０とは、後述するようにカテーテル上に直接配備されてもよい（図２参照）。シース３２は近位端３４と遠位端３６とを有し、一般に近位端３４に取り付けられた止血シール３８を含む。典型的には遠位端４２と近位端４４とを有する可撓性があり実質的に弾性のワイヤであるガイドワイヤ４０は、シース３２の近位端３４に挿入され内腔３３を通って進む。ガイドワイヤ４０を制御するために、一般にハブまたはハンドル４６が近位端４４に取り付けられる。
【００４１】
一般に、ガイドワイヤ４０の遠位端４２またはその近くには、通常拡張フレーム５２とフィルタメッシュ６０とを備えた拡張可能フィルタアセンブリ５０が取り付けられている。拡張フレーム５２は、一般に、シース３２の内腔３３を通って導入されているときの収縮状態から、血管７０内に露出されると拡大状態へと開くようにされる。これについては後により詳しく述べる。フィルタメッシュ６０は拡張フレーム５２に実質的に永久に取り付けられる。
【００４２】
ステントカテーテル１０の構成は当業者には既知のものである。カテーテル本体１２は、典型的には、ポリエチレン、ナイロン、ＰＶＣ，ポリウレタン、またはシリコーンなどの実質的に可撓性の材料よりなり、ポリエチレンおよびＰＶＣなどの材料が好適である。ステント２０を送達するためのバルーン１６は、一般に、ポリエチレン、ポリエステル、ラテックス、シリコーンなどの実質的に可撓性および弾性の材料、より好ましくはポリエチレンおよびポリエステルにより製造される。既知の膨張後長さおよび直径範囲を有する、血管形成術またはステント挿入処置用の多種類のバルーンが利用可能であり、治療が行われる特定の血管に特異的な適切なバルーンを選択することができる。
【００４３】
フィルタ装置３０用のシース３２は、一般に、カテーテルまたはガイドワイヤを患者の血流に導入するための従来の可撓性シースまたはカニューレである。材料の例としては、ポリエチレン、ナイロン、ＰＶＣ、またはポリウレタンが挙げられるが、ポリエチレンおよびＰＶＣが最も好適である。止血シール３８は、一般に、血液が血管からシース３２を通って逃れるのを防ぐように設計された環状シールであり、シリコーン、ラテックス、またはウレタンなどの材料を含むが、シリコーンがより好適である。止血シール３８は、既知の外科的に安全なボンド材料を用いてシース３２の近位端３４に実質的に永久に接着される。
【００４４】
ガイドワイヤ４０は、一般に、ステンレススチールまたはニチノールなどの従来の弾性ワイヤにより製造されるが、ステンレススチールが好適である。ガイドワイヤの近位端４４には、一体形成された従来のハブまたはハンドル４６が取り付けられている。
【００４５】
次に図３には、本発明のフィルタアセンブリ５０が、一般に、シースまたはカテーテル３２の遠位端３６から延び血管７０内で拡大状態にある様子が示されている。フィルタアセンブリ５０は、複数の支柱、リブまたはワイヤ５４を備えた拡張フレーム５２を含む。各支柱５４は実質的に固定された近位端５６と固定されてもされなくてもよい遠位端５８とを有する。近位端５６は、典型的には溶接、はんだ付け、または膠付けなどの従来の接着法を用いてガイドワイヤ４０の遠位端４２に接続されるか、もしくは、ガイドワイヤ４０の遠位領域の外表面に接続される（図３には図示せず）。支柱５４の遠位端５８はフィルタメッシュ６０に、もしくはガイドワイヤの遠位端に（図示せず）接続される。支柱は一般にステンレススチールまたはニチノールなどの実質的に弾性の材料よりなり、ステンレススチールが好適である。
【００４６】
一般に、フィルタメッシュ６０は、血管７０の壁７２に実質的に係合する開口領域６４と、ここでは円錐の頂点として示されている閉鎖領域とを有する目の細かいメッシュである。血液はメッシュを通って自由に流れることができる一方で、ターゲットサイズの望ましくない粒子は内部に捕獲される孔サイズを有する適切なメッシュが選択される。適切なフィルタ材料は、同時係属出願であるバルブット（Barbut）らの１９９５年１１月７日出願の米国特許出願第08/553,137号、バルブットらの１９９５年１２月２８日出願の米国特許出願第08/580,223号、バルブットらの１９９６年１月９日出願の米国特許出願第08/584,759号、バルブットらの１９９６年４月３０日出願の米国特許出願第08/640,015号、バルブットらの１９９６年５月１４日出願の米国特許出願第08/645,762号、マース（Maahs）の１９９７年４月１６日出願の米国特許出願第08/842,727号に開示されている。これらの参考文献および本明細書で引用される他のすべての参考文献は本明細書において明白に参考として援用されている。１つの例示的な実施形態のメッシュは、メッシュ面積３〜８平方インチ、メッシュ厚さ６０〜２００μｍ、細線直径３０〜１００μｍ、および孔サイズ６０〜１００μｍを有する。サチ・テク・アンド・テトゥコ・インコーポレイテッド（Saati Tech and Tetko, Inc.）のメッシュなどのポリエチレンメッシュが、シート形状で販売され容易に切断して所望の形状へと形成することができるため、許容可能なフィルタ材料を提供する。メッシュは所望のフィルタ形状に形成され、支柱５４に音波溶接されるかまたは接着剤により接着される。
【００４７】
次に、本発明は、典型的には、好ましくは頚動脈内の領域を治療する目的でステントを患者の狭窄または閉塞領域に導入するために使用される。図１および図２を再び参照して、先ずカテーテル１０を既知の経皮処置を用いて血管７０に導入し、次に血管を通してターゲット血管の狭窄領域に向けて進める。カテーテル１０は、典型的には、図１および図１４に示すように上流から下流への（順行）方位で導入されるが、後述のように下流から上流への（逆行）方位で導入されてもよい。好適な例では、図１４に示すように、カテーテル１０を大腿動脈に挿入し、既知の方法を用いて頚動脈に向けて進める。もしくは、頚動脈の下部領域を通して導入し狭窄位置７４へと下流側に向けて進める。
【００４８】
シース３２を狭窄領域７４より下流側の血管７０内に経皮的に導入し、従来の方法を用いて展開させる。ガイドワイヤ４０のハブ４６を遠位方向に押すことによって、フィルタアセンブリ５０が血管７０へと導入されるまでガイドワイヤ４０の遠位端４２をシース３２の内腔３３を通して進める。ガイドワイヤ４０の遠位端４２が血管７０に入ると、拡張フレーム５２が拡大状態へと開き、実質的に血管７０の断面全体にわたって延びる。フレーム５２に取り付けられたフィルタメッシュ６０が、実質的に血管７０の腔壁７２に係合し、これにより治療領域７４から血管７０に沿って通る望ましくない遊離物質をすべて捕獲する。
【００４９】
カテーテル１０は、ステント２０が血管７０の壁７２に堆積されたプラークまたは塞栓性物質にわたって中心に位置するまで、狭窄領域７４を通して挿入される。領域７４が実質的に塞がれている場合は、当業者には既知であると思うが、先ずステントカテーテルの挿入前にバルーンカテーテルを用いて領域７４を開けることが必要となるかもしれない（図３には図示せず）。ステント２０が所望の位置につくと、バルーン１６を膨張させるために、流体、食塩水、またはＸ線造影剤、好ましくはＸ線造影剤が膨張用内腔１８を通して導入される。バルーン１６が拡張するに従って、圧力によりステント２０は半径方向に外向きに押されプラーク７６に係合する。プラーク７６は領域７４から押しのけられ、血管７０を開く。ステント２０はプラーク７６を覆い、これをステント２０と血管７０の壁７２との間に実質的に永久に捕捉する。バルーン１６が十分に膨張すると、ステント２０は血管７０の非狭窄領域に類似する断面を提供する。次に膨張用内腔１８から流体を抜くことによってバルーン１６を収縮させ、カテーテル１２を従来の方法を用いて領域７４からそして患者から退却させる。ステント２０は定位置に留まり、治療領域７４内のプラーク７６を実質的に永久に覆い、血管７０の腔の一部を形成する。
【００５０】
狭窄領域７４が開かれているとき、または恐らくカテーテル１２が領域７４を通って導入されているとき、プラークは血管７０の壁７２から砕けて離れるかもしれない。この物質は血流により下流側に運ばれ、そこでフィルタメッシュ６０に当たってその中に捕獲されることになる。カテーテル１２が治療領域７４から除去されると、フィルタメッシュ６０の拡張フレーム５２は収縮状態に閉じられ、捕獲したすべての物質を内部に包み込む。フィルタアセンブリ５０をシース３２の内腔３３内に退却させ、フィルタ装置３０を体内から除去する。
【００５１】
別の実施形態では、図２に示すように、ガイドワイヤ４０およびフィルタアセンブリ５０は、個別のシースに配備されるのではなく、ステントカテーテル１０内に含まれる。これにより、患者の皮膚に第２の穿刺を行う必要がなくなる。既述のように、カテーテル１２は遠位端１４の近くに配備された膨張可能バルーン１６と、バルーン１６の上に圧縮されたステント２０とを備えている。膨張用内腔１８に加えて、第２の内腔１９がカテーテル１２を近位領域（図示せず）から遠位端１４まで延びる。遠位端４２にフィルタアセンブリ５０を有するガイドワイヤ４０が、遠位端４２がカテーテル１２の遠位端１４に達するまで内腔１９を通って導入される。前の例と同様に、フィルタアセンブリ５０は拡張フレーム５２とフィルタメッシュ６０とを備えており、これらは展開時までカテーテル１２の内腔１９内に留まる。
【００５２】
上述のように、ステントカテーテル１０を経皮的に導入し、狭窄領域７４に達してステント２０がプラーク７６にわたって中心に位置するまで血管を通って進める。ガイドワイヤ４０を遠位方向に押して、フィルタアセンブリ５０を血管７０内に導入する。拡張フレーム５２が、フィルタメッシュ６０が血管７０の壁７２に係合するまで開いて拡大状態となる。次にバルーン１6を膨張させ、ステント２０をプラーク７６に対して押し付けて、治療領域７４を開く。前の例のように、ステント２０はプラーク７６に実質的に永久に係合し血管７０の腔７２の一部となる。バルーン１６を収縮させた後、フィルタアセンブリ５０の拡張フレーム５２を収縮状態へと閉じ、フィルタアセンブリ５０を内腔１９へと退却させる。次に従来の手順を用いてステントカテーテル１０を患者から退却させる。
【００５３】
もしくは、自己拡張型ステントを上述の拡張可能ステントに置き換えてもよい。一般に、ステントはカテーテル上で圧縮され、シースがカテーテルおよびステントを覆って配備される。シースは展開時まではステントを圧縮形態に留める働きをする。カテーテルを患者に経皮的に導入し、血管内のターゲット位置に向けて進める。ステントが定位置につくと、カテーテルを固定し、シースを近位方向に退却させる。血管内に露出されるとステントは自動的に半径方向に拡張して、遂には血管壁に実質的に係合し、これにより塞栓性物質を捕捉して血管を広げる。次にカテーテルおよびシースを患者から除去する。
【００５４】
フィルタアセンブリ５０は一般に多数の可能な形状を有する。以下では、一般に個別のシースを有する上述のフィルタ装置が参照されるが、同じフィルタアセンブリをステントカテーテルに直接組み込んでもよい。
【００５５】
図４Ａ、４Ｂ、および４Ｃには、フィルタ装置３０の別の実施形態、すなわち、内腔３３内にガイドワイヤ４０を有するシース３２と、シース３２の遠位端３６から延びるフィルタアセンブリ５０とが示されている。フィルタアセンブリ５０は、複数の支柱５４とフィルタメッシュ６０とを備えている。ガイドワイヤ４０はフィルタメッシュ６０を通って遠位方向に閉鎖端領域６２まで続く。支柱５４の近位端５６はシース３２の遠位端３６に取り付けられ、支柱５４の遠位端５８はガイドワイヤの遠位端４２に取り付けられている。収縮状態を示す図４Ａでは、支柱５４はほぼ真っ直ぐであり遠位方向に延びている。中間領域５７では、フィルタメッシュ６０の開口端６４が上述の方法を用いて支柱５４に取り付けられている。フィルタメッシュ６０は中間領域５７のみで支柱５４に取り付けられても、または好ましくは中間領域５７から遠位端５８まで連続して取り付けられてもよい。
【００５６】
さらに、中間領域５７では、支柱５４は切り目が付けられているか、さもなくば圧縮されると外方向にゆがむか曲がるように設計されている。ガイドワイヤ４０は、支柱５４の中間領域５７とシース３２の遠位端３６との間の位置に、好ましくはステンレススチールよりなりガイドワイヤに固定された環状リングであるロッキング部材８０を含む。シース３２は、遠位端３６近くの内腔３３内に、ロッキング部材８０を受容するようにされた窪み領域８２を有する。
【００５７】
ガイドワイヤ４０とフィルタアセンブリ５０とは既述のようにシース３２に含まれ、図４Ａに示すように、シースは狭窄領域（図示せず）より下流側で血管７０に導入される。シース３２を実質的に定位置に保持したままで、ガイドワイヤ４０を近位方向に引く。これにより支柱５４が中間領域５７でゆがんで外向きに折れ、図４Ｂに示すようにフィルタメッシュ６０の開口端６４が開く。ガイドワイヤ４０を引くに従って、ロッキング部材８０は内腔３３に入り、近位方向に移動して遂に窪み領域８２と係合し、図４Ｃに示すように拡張フレームをその拡大状態にロックする。拡張フレーム５２が拡大状態にあるため、フィルタメッシュ６０の開口端６４は血管７０の壁７２と実質的に係合する。
【００５８】
ステントが送達された（図示せず）後、ガイドワイヤ４０を遠位方向に押すことによって拡張フレーム５２を閉じる。これにより支柱５４がガイドワイヤ４０に向かって引き戻され、フィルタメッシュ６０の開口端６４が閉じ、フィルタアセンブリ５０内のすべての遊離塞栓性物質が保持される。
【００５９】
本実施形態の別の改変例として、シース３２全体およびフィルタアセンブリ５０を外部シースまたはカテーテル（図示せず）内に配備して、血管への導入中にフィルタアセンブリ５０を保護するようにしてもよい。装置がその所望位置につくと、シース３２を定位置に保持して外部シースを近位方向に退却させ、フィルタアセンブリ５０を血管７０内に露出させる。フィルタアセンブリ５０が使用され閉じた後、フィルタアセンブリ５０が外部シースに完全に入るまでシース３２を近位方向に引き、次に外部シースを除去するとよい。
【００６０】
図５Ａ、５Ｂおよび５Ｃに、フィルタアセンブリ５０の別の実施形態を示す。複数の支柱５４の近位端５６はシース３２の遠位端３６に実質的に固定される。遠位端５８はフィルタメッシュ６０の開口端６４で終了してもよいが、好ましくは、支柱５４はフィルタメッシュ６０を通って遠位方向に閉鎖端領域６２まで延び、ここでガイドワイヤ４０の遠位端４２に取り付けられる。
【００６１】
図５Ａには、フィルタアセンブリ５０がその収縮状態で示されている。ガイドワイヤ４０が捩じれ方向に回転され、これにより支柱５４がガイドワイヤ４０の長軸に沿って螺旋状に巻き付いてフィルタメッシュ６０を閉鎖している。既述のように、フィルタアセンブリ５０は、シース３２の端部に露出した状態で、または好ましくは、上述のように外部シース（図示せず）内で血管７０に導入される。
【００６２】
定位置につくと、シース３２を固定させ、ガイドワイヤ４０をシース３２に対して捩じれ方向に回転させる。図５Ｂに示すように、血管７０の壁７２に向かって半径方向に動くようにバイアスされている支柱５４は、ガイドワイヤ４０が回転するに従ってほどけて、フィルタメッシュ６０の開口端６４を開く。支柱５４の巻き付きがほどけると、図５Ｃに示すように、拡大状態にある拡張フレームによりフィルタメッシュ６０の開口端６４が血管７０の壁７２に実質的に係合する。
【００６３】
ステントが送達された（図示せず）後、ガイドワイヤ４０を再び回転させ、拡張フレーム５２が再び図５Ａの収縮状態になるまでステント５４を巻き付ける。次にシース３２およびフィルタアセンブリ５０を血管７０から除去する。
【００６４】
フィルタアセンブリ５０の別の実施形態を図６Ａおよび６Ｂに示す。支柱５４は近位端５６でガイドワイヤに取り付けられるかまたはガイドワイヤと接触し、遠位端５８は互いに接続されて拡張フレーム５２を形成し、また中間領域５７で半径方向に拡張するようにバイアスされている。近位端５６はガイドワイヤ４０の遠位端４２に取り付けられ、遠位端５８はシース３２から遠位方向に延びている。フィルタメッシュ６０が中間領域５７で支柱５４に取り付けられている。フィルタアセンブリ５０が前述のように順行方位で導入される場合は、フィルタメッシュ６０は、典型的には、図６Ａに示すように、支柱５４の中間領域５７から遠位端５８まで取り付けられる。もしくは、逆行方位で導入される場合は、図６Ｂに示すように、フィルタメッシュ６０を支柱の中間領域５７から近位端５６までの間に取り付け、これによりフィルタメッシュの内部を上流側に向けてこの中にすべての塞栓性物質を捕獲するようにするのが好ましい。
【００６５】
フィルタアセンブリ５０は、シース３２の内腔３３内に収縮状態で半径方向に圧縮された支柱５４を備えている（図示せず）。フィルタアセンブリ５０は、ガイドワイヤを遠位方向に向けて進めることによって血管７０に導入される。拡張フレーム５２が血管に入るに従って、支柱５４は自動的に図６Ａおよび図６Ｂに示すような拡大状態へと半径方向に拡張し、これにより、フィルタメッシュ６０の開口端６４が血管７０の壁７２と実質的に係合する。フィルタアセンブリ５０を血管７０から退却させるには、ガイドワイヤ４０を単に近位方向に引くだけでよい。支柱５４は内腔３３に入るときシース３２の遠位端３６に接触し、これにより拡張フレーム５２は圧縮され収縮状態に戻される。
【００６６】
図８Ａは、最前の例に類似するフィルタアセンブリ５０の別の実施形態を示す。拡張フレーム５２は、フィルタメッシュ６０が取り付けられた複数の支柱５４を備えている。しかし、中間領域で曲げられる実質的に真っ直ぐの支柱ではなく、支柱５４は、フィルタアセンブリ５０が最初に血管７０に導入されるとき半径方向に拡張するようにバイアスされた丸みを持った形状を有するものとして示されている。フィルタメッシュ６０は、前に示した円錐形状ではなく、実質的に半球形状を有する。
【００６７】
場合によっては、図８Ｂに示すように、フィルタメッシュ６０は、フィルタメッシュ６０の望ましくない動きを実質的に最小限にするように開口端６４の外周部に取り付けられた、好ましくはナイロン、ポリエチレン、またはポリエステルよりなるグリップヘア９０を含んでもよい。このようなグリップヘア９０は、フィルタメッシュ６０と血管７０の壁７２との間のさらなる係合が所望される場合に、提示されたいずれの実施形態に配備してもよい。
【００６８】
図７は、フィルタアセンブリ５０の別の実施形態を示す。ここでは拡張フレーム５２はフィルタメッシュ６０に取り付けられた１本の、即ち、単一の支柱５４を有する。単一の支柱５４は、半径方向非対称的に配置され、フィルタメッシュ６０の開口端６４をガイドワイヤ４０に連結している。支柱５４とガイドワイヤ４０の間の角度は鈍角である。フィルタメッシュ６０の開口端６４は十分に開口するようにバイアスされており、これにより血管７０の壁７２に実質的に係合する。メッシュ材料自体が十分なバイアスを提供するか、またはフィルタメッシュ６０を開口させるバイアスを提供するために開口端６４の周囲にワイヤフレーム（図示せず）を用いてもよい。
【００６９】
フィルタメッシュ６０はシース３２への導入前は圧縮されている。フィルタアセンブリ５０を血管７０内に開放するためには、ガイドワイヤ４０を遠位方向に移動させる。フィルタアセンブリ５０がシース３２の内腔３３を離れるに従って、フィルタメッシュ６０は開口端６４が血管７０の壁７２に実質的に係合するまで開く。フィルタメッシュ６０に取り付けられた支柱５４がフィルタメッシュ６０を保持してシース３２への退却を容易にする。除去するときは、ガイドワイヤ４０を近位方向に向けて進める。支柱５４が内腔３３内に引っ張られ、これに続いてフィルタメッシュ６０が引き込まれる。
【００７０】
さらに別の実施形態において、図９は、血管７０の壁７２に実質的に係合する周表面９４を有する複数のほぼ円筒形の拡張可能なスポンジ状装置９２を備えたフィルタアセンブリ５０を示す。装置９２は、図示するように装置を通って中心を延びるガイドワイヤ４０に固定される。スポンジ状装置は、血液はこれらの装置を通って自由に通過させるが遊離塞栓性物質などの望ましくない実質的により大きな粒子は捕捉するのに十分な多孔性を有する。この目的にとって適切な材料の例としては、ウレタン、セルロース、またはポリエチレンが挙げられるが、ウレタンおよびポリエチレンが好適である。
【００７１】
さらに、装置９２はガイドワイヤの長軸に沿って小さくなる変動多孔度を有するようにしてもよい。上流領域９６は塞栓性物質などのより大きな粒子が中に入るのを許してもよいが、下流領域９８はこのような物質を捕獲し閉じ込めるのに十分な密度を有する。これにより、物質が装置の外表面でのみ捕獲されて装置がシースに引き戻されるとき遊離してしまう可能性が実質的に低減される。
【００７２】
装置９２はシース３２の内腔３３内に押し込められ（図示せず）収縮状態を規定する。装置は、ガイドワイヤ４０を遠位方向に押すことによって血管７０内に導入される。装置９２は血管７０に入り、実質的に非収縮サイズへと拡張して、血管７０の壁７２に係合する。使用後は、ガイドワイヤ４０を近位方向に引き、装置９２をシース３２の遠位端３６に対して押し付けて内腔３３に引き戻す。
【００７３】
図１０には、本発明の別の実施形態、すなわち外表面１３に直接取り付けられたフィルタアセンブリ５０を有するステントカテーテル１０を示す。ステントカテーテル１０は、既述のものに類似する構成要素および材料、すなわち、カテーテル１２、カテーテル１２の遠位端１４近くの膨張可能バルーン１６、およびバルーン１６の上に圧縮されたステント２０を含む。しかし、フィルタアセンブリ５０をガイドワイヤ上に配備する代わりに、フィルタアセンブリ５０は、典型的には、カテーテル１２の外表面１３に直接取り付けられた拡張フレーム５２とフィルタメッシュ６０とを備える。好ましくは、拡張フレーム５２は、逆行方位で使用するためにはステント２０より近位側の位置でカテーテル１２に取り付けられるが、場合によっては、拡張フレーム５２はステント２０より遠位側に取り付けられて順行の適用で使用してもよい。
【００７４】
フィルタアセンブリ５０は、ガイドワイヤに取り付ける場合について前述した形態に類似する多くの形態を取り得る。図１０では、拡張フレーム５２は、近位端５６と遠位端５８とを有する複数の半径方向にバイアスされた支柱５４を含む。支柱５４の近位端５６はステント２０より近位側のカテーテル１２の外表面１３に取り付けられ、一方遠位端５８は自由である。フィルタメッシュ６０は、既述のものと同様に、近位端５６と遠位端５８との間で支柱５４に、および場合によっては、支柱５２の近位端５６が取り付けられるカテーテル１２の外表面１３に取り付けられる。
【００７５】
使用前は、一般にシース１３２がカテーテル１２を覆って配備される。シースが支柱５４に係合すると、シースは支柱をカテーテル１２の外表面１３に対して押し付ける。次にカテーテル１２およびシース１３２を患者に導入し、所望の位置に向けて進める。ステント２０が定位置につくと、カテーテル１２を固定してシース１３２を近位方向に引く。支柱５８が血管７０に入るに従って、遠位端５８は半径方向に移動して、フィルタメッシュ６０を開く。フィルタアセンブリ５０が血管７０内に完全に露出されると、支柱５４の遠位端５８、従ってフィルタメッシュ６０の開口端６４は血管７０の壁７２に実質的に係合する。
【００７６】
ステントが展開された後、シース１３２を遠位方向に押す。支柱５４はシース１３２の内腔１３３に入るに従って、カテーテル１２の外表面１３に押し付けられて戻され、これによりフィルタメッシュ６０内に捕獲したすべての物質を閉じ込める。次にカテーテル１２およびシース１３２を血管７０から退却させる。
【００７７】
図１１Ａおよび図１１Ｂには、拡張フレーム５０の別の実施形態を示す。支柱５４の近位端５６はカテーテル１２の外表面１３に取り付けられるかまたはこれと接触する。支柱５４は、中間領域５７が半径方向に向かうようにバイアスされた輪郭付けされた半径を有する、フィルタメッシュ６０は中間領域５７と近位端５６との間、または中間領域と遠位端との間（図示せず）に取り付けられる。図１１Ａはフィルタアセンブリ５０が収縮状態にあり、シース１３２がこれを覆っている場合を示す。シース１３２は支柱５４をカテーテルの外表面１３に対して押し付け、これにより装置を患者に安全に導入することができる。定位置につくと、シース１３２を図１１Ｂに示すように近位方向に引く。シース１３２の遠位端１３６がフィルタアセンブリ５０の近位端を通過すると、支柱５４は半径方向に移動して、支柱５４の中間領域５７およびフィルタメッシュ６０の開口端が血管７０の壁７２に実質的に係合する。使用後は、シース１３２を遠位方向に進め、支柱５４をカテーテル１２に押し戻し、フィルタメッシュ６０内に捕獲されたすべての物質を閉じ込める。
【００７８】
図１２Ａおよび図１２Ｂに示す本発明の別の実施形態では、前述のものに類似するステントカテーテル１０は、カテーテル１２の遠位端１４またはその近くに取り付けられた流体操作のフィルタアセンブリ５０を備えている。カテーテル１２は、ステントバルーン１６のための第１の膨張用内腔１８と、フィルタアセンブリ５０の拡張フレーム５２を膨張させるための第２の膨張用内腔１９とを含む。拡張フレーム５２は、一般に、好ましくはほぼ環形状を有する膨張可能バルーン１０２を備えている。バルーン１０２は、一般に、シリコーン、ラテックス、またはウレタンなどの可撓性があり実質的に弾性の材料よりなるが、ウレタンが好適である。
【００７９】
第２の膨張用内腔１９はカテーテル１２の遠位端１４またはその近くの領域まで延びそこで外表面１３と連通するか、または完全に遠位端１４まで延びる。バルーン１０２と膨張用内腔１９との間を導管１０４が延びている。導管１０４は、バルーン１０２に類似する材料よりなる実質的に可撓性のチューブであっても、ポリエチレンなどの材料よりなる実質的に剛性のチューブであってもよい。場合によっては、支柱またはワイヤ１０６をバルーン１０２とカテーテル１２との間に取り付けて、バルーン１２を所望の方位に保持してもよい。前述のものに類似するフィルタメッシュ６０がバルーン１０２に取り付けられている。
【００８０】
図１２Ａをより詳しく述べると、フィルタアセンブリ５０は収縮状態で示されている。バルーン１０２は、収縮した状態でカテーテル１２の外表面１３に実質的に係合するようにされている。これによりフィルタメッシュ６０をカテーテル１２に対して保持し、カテーテル１２を患者の血管７０内の所望の位置に導入することができる。カテーテル１２を経皮的に患者に導入し、ステント２０を閉塞領域７４内で位置決めする。食塩水などの流体を内腔１９に導入してバルーン１０２を膨張させる。バルーン１０２は膨張するに従って半径方向に拡張し、カテーテル１２の外表面１３から離れる方向に移動する。
【００８１】
図１２Ｂに示すように、バルーン１０２はその拡大状態まで完全に膨張すると血管７０の壁７２に実質的に係合し、フィルタメッシュ６０を開く。ステント２０が送達されてステントバルーン１６が収縮されると、流体は膨張用内腔１９から抜き取られ、バルーン１０２を収縮させる。収縮するとバルーン１０２は再びカテーテル１２の外表面１３と係合し、フィルタメッシュ６０を閉じ、内部に捕獲されたすべての塞栓性物質を閉じ込める。
【００８２】
もしくは、図１３Ａおよび１３Ｂに示すように、最前のフィルタアセンブリ５０をステント２０より近位側の位置に取り付けてもよい。フィルタメッシュ６０の開口端６４がバルーン１０２に取り付けられ、一方閉鎖端６２がカテーテル１２の外表面１３に取り付けられ、これにより塞栓性物質を捕獲するスペースが規定される。図１３Ａに示す収縮状態では、バルーン１０２はカテーテル１２の外表面１３に実質的に係合し、これによりカテーテル１０を血管７０に導入または血管から退却させることができる。ステント２０が狭窄領域７４をとおして所定位置につくと、バルーン１０２を膨張させてカテーテル１２から離れる方向に移動させ、遂には図１３Ｂに示すようにその拡大状態にとなる。これにより、血管７０の壁７２に実質的に係合する。
【００８３】
フィルタガイドワイヤの詳細縦図を図１５に示す。ガイドワイヤ４０は内部細長部材２０７を有し、これを第２の細長部材２０１が囲んでいる。第２の細長部材の周りには巻付ワイヤ２１１が螺旋状に配置されている。ガイドワイヤ４０は、一連の半径方向にバイアスされた支柱２０３を収納する拡大セグメント２０２、２０８を含む。螺旋状ワイヤ２１１は断面２０５で分離し、セグメント２０２内に含まれる泡立て器フィルタを露出させる。ガイドワイヤ４０は、狭い制約された血管損傷を通って進むように設計された柔軟な非外傷性先端２０４を含む。図１５Ａに示すように、ワイヤハウジング２１１が位置２０５で分離するように細長部材２０１を遠位方向に前進させることによって、泡立て器フィルタが展開される。細長部材２０７は、支柱２０３が半径方向に延びるに従って収縮する長さ方向に伸張可能な材料により形成され得る。もしくは、細長部材２０７は、展開時に支柱２０３が半径方向に拡張し得るようにシース２０１内に摺動可能に受容されるようにしてもよい。フィルタガイドワイヤは、場合によっては、展開時に支柱２０３を半径方向に拡張するために、細長部材２０７の周囲に螺旋状に配置されるコイルバネ２０６を含んでもよい。
【００８４】
典型的なフィルタガイドワイヤは、ガイドワイヤがセグメント２０８全体で約５Ｆ、セグメント２０９全体で４Ｆ，そしてセグメント２１０全体で３Ｆであるように構成され得る。近位領域での典型的な外径は、０．０１２〜０．０３５インチ、より好ましくは０．０１６〜０．０２２インチ、より好ましくは０．０１８インチである。遠位領域では、典型的な外径は０．０２０〜０．０６６インチ、より好ましくは０．０２８〜０．０３６インチ、より好ましくは０．０３５インチである。ガイドワイヤの長さは典型的には、バルーンカテーテルの展開時で２３０〜２９０ｃｍ、より好ましくは２６０ｃｍである。経皮医療器具の寸法を上述のガイドワイヤの寸法まで小さくするのは、特にガイドワイヤが本明細書で開示するような拡張可能フィルタなどの機能器具を含む場合、重要な技術的難関であることは理解されよう。また、上記のパラメータは典型的な装置寸法を示すためのみに示されるものであって、本明細書で開示する要旨を制限するものとみなされるべきではないことも理解されよう。
【００８５】
使用においては、フィルタガイドワイヤを血管内の問題領域に位置付ける。フィルタを拡張状態に展開し、カテーテルなどの医療器具を問題領域へとガイドワイヤに被せて前進させる。次に血管形成、ステント展開、回転ブレーダ(rotoblader)、アテレクトミー、もしくは超音波またはドップラーによる撮像が問題領域で行われる。次に医療／介入器具を患者から除去する。最後に、フィルタを収縮させてガイドワイヤを血管から除去する。
【００８６】
泡立て器フィルタの詳細図を図１６、１６Ａ、１６Ｂ、および１６Ｃに示す。図１６を参照して、泡立て器フィルタは、圧力ワイヤ２１２、主要ワイヤケージ２１３、メッシュ５２、および場合によっては血管の内腔との実質的な係合を促進し内部の不規則形状に適合するフォームシール２１１を含む。泡立て器フィルタはカテーテルシース３２内に収納され、フィルタがシース３２の先端を超えて遠位方向に前進すると展開される。この設計により、サイズ８Ｆ（０．０６２インチ、２．７ｍｍ）のカテーテルが提供され、このような設計のためには、主要ワイヤケージ２１３は０．０１０インチ、圧力ワイヤ２１２は０．００８インチとなる。これらのパラメータは当該分野で既知のように変動することが可能であり、従って制限的なものであるとみなされるべきではない。図１６Ａおよび１６Ｂは、フォームシール２１４を通る断面での初期閉鎖シーケンスを示す。図１６Ｃは最終閉鎖シーケンスを示す。
【００８７】
図１７および１７Ａは、ガイドワイヤ４０の遠位端に配置されたフィルタスクロール２１５を利用する別のフィルタガイドワイヤを示す。ガイドワイヤ４０は、フィルタを閉じるためには、２１６で示すように捩じれ方向に操作され、逆の操作（２１７）はフィルタを開く。フィルタスクロールは、螺旋状バネまたは他のバネの作用によりまたはヒートセッティングにより自動的にぱっと開くようにバイアスさせてもよい。もしくは、手動の捩じり操作によりフィルタスクロールを開く。この設計では、ガイドワイヤ４０はスクロール２１５を操作する心棒として働く。
【００８８】
ステント展開血液濾過装置の別の実施形態を図１８、１８Ａ、および１８Ｂに示す。図１８を参照して、カテーテル２２５はその近位端２２１にハウジング２２０を含み、遠位端ではカテーテル２２５はステント２２３と拡張可能フィルタ２２４とを保持している。１つの実施形態では、拡張可能フィルタ２２４は、場合によっては拡張可能フレームの周囲に配置される自己拡張型フィルタである。別の実施形態では、フィルタ２２４は展開時に近位領域２２１での制御によって手動で操作される。同様に、ステント２２３は上述のような自己拡張型ステントであるか、もしくはバルーンまたは他の半径方向に拡張する部材を用いて展開されるステントであり得る。制約シース２２２がフィルタ２２４およびステント２２３のいずれかまたは両方を包囲する。使用においては、カテーテル２２５の遠位領域２２６を問題領域内に配置して、シース２２２を近位方向に引いて、先ずフィルタ２２４を露出させ次にステント２２３を露出させる。このため、フィルタ２２４はステント２２３が半径方向に拡張する前に展開し、従って、図１８Ａに示すように、ステント展開中に引き離されるすべてのデブリスを捕獲するように、フィルタ２２４は動作可能状態で定位置にある。図１８Ｂは、遠位領域に泡立て器フィルタ２２４を展開する別の実施形態を示す。
【００８９】
泡立て器フィルタの構成の別の設計を図１９に示す。この装置は、内部シース２３１、外部シース２３０、および各近位端で外部シース２３０に接続され各遠位端で内部シース２３１に接続される複数の支柱２３２を含む。フィルタの拡張は、内部シース２３１を外部シース２３０に対して近位方向に移動させ、この動作によって各支柱が外向きに曲がることによって実現される。泡立て器フィルタの支柱を密に詰めることによりメッシュのない血液濾過を実現してもよく、または近位部２３３または遠位部２３４もしくはその両方を覆うメッシュを含んでもよいことは理解されよう。
【００９０】
別の実施形態では、フィルタガイドワイヤは図２０に示すように遠位撮像装置を備えている。ガイドワイヤ４０は、泡立て器フィルタ２２４と、フィルタ２２４の展開のための制約シース２２２とを含む。ガイドワイヤ４０の遠位端には、ガイドワイヤの端部またはその近くでの血流速度を測定することができる超音波トランスデューサまたはドップラー流速メータのいずれかであり得る撮像装置２３５が配備されている。このような装置は、ステント展開前後の相対的な血流を評価するための貴重な情報を提供する。従って、この装置により、医師は、ステント展開前後の血流を測定および比較することによって、ステントがその目的を達したかどうか、または十分に展開しているかどうかを決定することができる。
【００９１】
使用においては、ガイドワイヤの遠位端を、拡張可能フィルタを覆うシースと共に患者の血管に導入する。ガイドワイヤの遠位端を、フィルタが問題領域より下流側にありまたシースおよびガイドワイヤが問題領域を横断するように位置付ける。シースをガイドワイヤの近位端の方向に摺動させて血管から除去する。拡張可能フィルタが露出され問題領域より下流側の血管内で展開される。経皮医療器具をガイドワイヤに被せて前進させ、問題領域の損傷で処置が行われる。経皮医療器具は、ステント送達用の装置、バルーン血管形成カテーテル、アテレクトミーカテーテル、回転ブレーダ、超音波撮像カテーテル、急速交換カテーテル、ワイヤ誘導(over-the-wire)カテーテル、レーザ切除カテーテル、超音波切除カテーテルなどの如何なる外科用ツールであってもよい。損傷部でこれらの装置のいずれかを使用中に生成される塞栓性物質は、拡張可能フィルタが患者の血管から除去される前に捕獲される。次に経皮器具をガイドワイヤに被せて患者から退却させる。シースをガイドワイヤに被せて血管に導入し、シースが拡張可能フィルタを覆うまで前進させる。次にガイドワイヤとシースとを血管から除去する。
【００９２】
図２１にヒトの大動脈の解剖学的構造を示す。心臓手術中、バイパスカニューレ２４３を上行大動脈に挿入し、バルーン閉塞または大動脈クロスクランピングのいずれかをカニューレ２４３の侵入点より上流側に設置する。心臓処置の工程については、バルブットらの１９９７年４月１６日出願の米国特許出願第08/842,727号に記載されており、デブリス離脱レベルについては、バルブットらの“Cerebral Emboli Detected During Bypass Surgery Are Associated With Clamp Removal（バイパス手術中に検出される大脳塞栓はクランプ除去に関連する）”, Stroke, 25(12):2398-2402 (1994)に記載されている。この文献はその全体が本明細書において参考として援用されている。図２１は、フィルタをバイパスカニューレから引き離すことによりフィルタ展開のためのいくつかの経路が提供されることを示す。マースの１９９７年５月８日出願の米国特許出願第08/853,165号に記載されているように、カニューレ２４３を通して上流側２４４または下流側２４５にモジュラーフィルタを展開してもよい。この文献は本明細書において参考として援用されている。本発明の開示によれば、フィルタは、大腿動脈アプローチにより２４０に挿入されるフィルタガイドワイヤを用いることによって、大動脈内の腕頭動脈より上流側に展開され得る。もしくは、フィルタガイドワイヤは、左鎖骨下動脈への侵入によって経路２４１を通して、または右鎖骨下動脈を通る侵入によって経路２４２を通して挿入してもよい。これらはいずれも腕を通して接近される。本明細書に開示されたフィルタガイドワイヤにより、血液濾過のために上行大動脈および大動脈弓に接近するためのこれらのおよび他の経路が可能となる。
【００９３】
別の実施態様として、図２２に汎用フィルタガイドワイヤを示す。図２３は、スリーブ２５０が周囲に配置されたガイドワイヤ４０を示す。スリーブ２５０は、長さ方向に圧縮されると半径方向に拡張するように設計された、長さ方向のスリットを有する領域２５１を含む。従って、スリーブ２５０の遠位端が近位方向に引っ張られると、スリット領域２５１は図２３Ａに示すように半径方向に外向きに曲がり、泡立て器フィルタの形状を提供する。このようにして形成された拡張ケージは、場合によっては、遠位部または近位部もしくはこれら両方を覆うメッシュ５２を含んでもよい。
【００９４】
使用においては、前述のステントカテーテルなどのステントカテーテルが、好ましくは上行大動脈、大動脈弓、または下行大動脈内で移動性大動脈プラーク堆積物が離脱するのを防ぐために、逆行方向の適用で用いられる。好ましくは、ステントカテーテルには、ステントより近位側のカテーテルに取り付けられた、最前のフィルタアセンブリなどのフィルタアセンブリが配備される。もしくは、フィルタ装置のないステントカテーテルを使用してもよい。ステントカテーテルを経皮的に患者に導入し、所望の領域に向けて進める。好ましくは、カテーテルは大腿動脈に挿入され大動脈に向けられる。または、頚動脈に導入され大動脈に向けられる。ステントは、１つ以上の移動性大動脈堆積物を含む領域にわたって中心に置かれる。
【００９５】
フィルタアセンブリがカテーテル上に配備される場合は、意図せず引き離されるすべての物質がフィルタによって確実に捕獲されるように、フィルタをステントの展開前にその拡大状態へと拡張する。もしくは、前述したものに類似するガイドワイヤとフィルタアセンブリとを有するシースを個別に治療領域より下流側に経皮的に導入して、その拡大状態まで開くようにしてもよい。
【００９６】
ステントバルーンを膨張させ、ステントを拡張して堆積物に係合させる。ステントは大動脈の壁に堆積物を押し付けてこれらを捕捉する。バルーンが収縮しても、ステントは実質的にその膨張断面を維持し、堆積物を実質的に永久に閉じ込め、血管の腔の一部を形成する。もしくは、前述のようにステントカテーテルを覆うシースを用いて自己拡張型ステントを送達してもよい。ステントが展開されると、フィルタアセンブリは閉じ、従来の方法を用いてステントカテーテルを退却させる。
【００９７】
これまでに述べた実施形態とは異なり、大動脈プラークを捕捉するこの方法は管腔直径を大きくする以外の目的のためのものである。すなわち、プラークが後で離脱することによって生じる塞栓の危険性から患者を保護するために、移動性大動脈堆積物はステントの下に実質的に永久に閉じ込められる。特に重要なのは上行大動脈および大動脈弓である。これらの血管内の遊離塞栓性物質は、頚動脈に入って脳に移動し、深刻な健康上の問題または死の可能性を生じさせるという重大な危険性を提供する。ステントをこのような領域に永久に展開することにより、塞栓性物質が後で患者内で遊離する可能性を実質的に減らし、プラークを除去するための費用のかかる侵襲性手術を行わずに治療が可能となる。
【００９８】
本発明には様々な改変および変形形態が可能であるが、本発明の特定の実施例を図面に示しまた本明細書で詳細に説明した。しかし、本発明は開示された特定の形態または方法に制限されるものではなく、反対に、本発明は添付の請求の範囲の精神および範囲に含まれるすべての改変、均等物および変形例を包含することは理解されよう。
【図面の簡単な説明】
【００９９】
本発明をよりよく理解するために、および本発明がどのように実施されるかを示すために、例示として以下の図面が参照される。図面において、
【図１】図１は、血管に挿入されている１つの実施形態、すなわち狭窄領域内のステントカテーテル、およびこの領域より下流側のフィルタ装置を示す縦図である。
【図２】図２は、フィルタ装置がステントカテーテル内に含まれている、別の実施形態の縦図である。
【図３】図３は、血管内で拡大状態にあるフィルタアセンブリの実施形態の縦図である。
【図４Ａ】図４Ａは、血管内で収縮状態、一部拡張状態、および拡大状態にあるフィルタアセンブリの実施形態の縦図である。
【図４Ｂ】図４Ｂは、血管内で収縮状態、一部拡張状態、および拡大状態にあるフィルタアセンブリの実施形態の縦図である。
【図４Ｃ】図４Ｃは、血管内で収縮状態、一部拡張状態、および拡大状態にあるフィルタアセンブリの実施形態の縦図である。
【図５Ａ】図５Ａは、血管の横断方向に収縮状態、一部拡張状態、および拡大状態にあるフィルタ装置の別の実施形態の縦図を示す。
【図５Ｂ】図５Ｂは、血管の横断方向に収縮状態、一部拡張状態、および拡大状態にあるフィルタ装置の別の実施形態の縦図を示す。
【図５Ｃ】図５Ｃは、血管の横断方向に収縮状態、一部拡張状態、および拡大状態にあるフィルタ装置の別の実施形態の縦図を示す。
【図６Ａ】図６Ａは、狭窄領域への順行アプローチおよび逆行アプローチでのフィルタメッシュの方位を示す縦図である。
【図６Ｂ】図６Ｂは、狭窄領域への順行アプローチおよび逆行アプローチでのフィルタメッシュの方位を示す縦図である。
【図７】図７は、フィルタアセンブリの別の実施形態の縦図である。
【図８Ａ】図８Ａは、フィルタアセンブリの別の実施形態の縦図であって、グリップヘアを持たないおよびこれを備えたフィルタメッシュを示す。
【図８Ｂ】図８Ｂは、フィルタアセンブリの別の実施形態の縦図であって、グリップヘアを持たないおよびこれを備えたフィルタメッシュを示す。
【図９】図９は、スポンジ状装置を含むフィルタアセンブリの別の実施形態の縦図である。
【図１０】図１０は、別の実施形態、すなわちステントカテーテルの外表面に取り付けられたフィルタアセンブリの縦図である。
【図１１Ａ】図１１Ａは、ステントカテーテルの外表面に取り付けられたフィルタアセンブリを示し、収縮状態にあるフィルタアセンブリを保持するシースと共に、および拡大状態にあるフィルタアセンブリを示す。
【図１１Ｂ】図１１Ｂは、ステントカテーテルの外表面に取り付けられたフィルタアセンブリを示し、収縮状態にあるフィルタアセンブリを保持するシースと共に、および拡大状態にあるフィルタアセンブリを示す。
【図１２Ａ】図１２Ａは、膨張可能フィルタアセンブリを含む別の実施形態の縦図であって、収縮状態および拡大状態を示す。
【図１２Ｂ】図１２Ｂは、膨張可能フィルタアセンブリを含む別の実施形態の縦図であって、収縮状態および拡大状態を示す。
【図１３】図１３は、拡大状態で示されるステントより近位側でカテーテルに取り付けられた膨張可能フィルタアセンブリの縦図である。
【図１４】図１４は、頚動脈内に配置された遠位フィルタを有するステント展開装置の縦図である。
【図１５】図１５は、本発明のガイドワイヤフィルタの詳細な縦図を示す。
【図１５Ａ】図１５Ａは、本発明のガイドワイヤフィルタの詳細な縦図を示す。
【図１５Ｂ】図１５Ｂは、本発明のガイドワイヤフィルタの詳細な縦図を示す。
【図１５Ｃ】図１５Ｃは、本発明のガイドワイヤフィルタの詳細な縦図を示す。
【図１５Ｄ】図１５Ｄは、本発明のガイドワイヤフィルタの詳細な縦図を示す。
【図１６】図１６は、本発明の泡立て器フィルタの縦図および断面図を示す。
【図１６Ａ】図１６Ａは、本発明の泡立て器フィルタの縦図および断面図を示す。
【図１６Ｂ】図１６Ｂは、本発明の泡立て器フィルタの縦図および断面図を示す。
【図１６Ｃ】図１６Ｃは、本発明の泡立て器フィルタの縦図および断面図を示す。
【図１６Ｄ】図１６Ｄは、本発明の泡立て器フィルタの縦図および断面図を示す。
【図１７】図１７は、本発明のフィルタスクロールの縦図を示す。
【図１７Ａ】図１７Ａは、本発明のフィルタスクロールの縦図を示す。
【図１８】図１８は、本発明のフィルタカテーテルの縦図を示す。
【図１８Ａ】図１８Ａは、本発明のフィルタカテーテルの縦図を示す。
【図１８Ｂ】図１８Ｂは、本発明のフィルタカテーテルの縦図を示す。
【図１９】図１９は、本明細書で開示される泡立て器フィルタの別の構成を示す。
【図２０】図２０は、泡立て器フィルタおよび保持シースを有する撮像ガイドワイヤの縦図を示す。
【図２１】図２１は、ヒトの大動脈の解剖学的構造を示し、大動脈フィルタを頚動脈より上流側に展開するためのいくつかの経路を示す。
【図２２】図２２は、汎用フィルタガイドワイヤの縦図を示す。
【図２３】図２３は、本開示のガイドワイヤを覆って配置される圧縮可能、拡張可能シースの縦図を示す。
【図２３Ａ】図２３Ａは、本開示のガイドワイヤを覆って配置される圧縮可能、拡張可能シースの縦図を示す。
【符号の説明】
【０１００】
１０  経皮カテーテル
１６  膨張可能バルーン
２０  ステント
３０  フィルタ（アセンブリ）
３２  シース
４０  ガイドワイヤ
５２  拡張フレーム
６０  フィルタメッシュ
【図１】
0004465366.tif 000002
【図２】
0004465366.tif 000003
【図３】
0004465366.tif 000004
【図４Ａ】
0004465366.tif 000005
【図４Ｂ】
0004465366.tif 000006
【図４Ｃ】
0004465366.tif 000007
【図５Ａ】
0004465366.tif 000008
【図５Ｂ】
0004465366.tif 000009
【図５Ｃ】
0004465366.tif 000010
【図６Ａ】
0004465366.tif 000011
【図６Ｂ】
0004465366.tif 000012
【図７】
0004465366.tif 000013
【図８Ａ】
0004465366.tif 000014
【図８Ｂ】
0004465366.tif 000015
【図９】
0004465366.tif 000016
【図１０】
0004465366.tif 000017
【図１１Ａ】
0004465366.tif 000018
【図１１Ｂ】
0004465366.tif 000019
【図１２Ａ】
0004465366.tif 000020
【図１２Ｂ】
0004465366.tif 000021
【図１３】
0004465366.tif 000022
【図１４】
0004465366.tif 000023
【図１５】
0004465366.tif 000024
【図１５Ａ】
0004465366.tif 000025
【図１５Ｂ】
0004465366.tif 000026
【図１５Ｃ】
0004465366.tif 000027
【図１５Ｄ】
0004465366.tif 000028
【図１６】
0004465366.tif 000029
【図１６Ａ】
0004465366.tif 000030
【図１６Ｂ】
0004465366.tif 000031
【図１６Ｃ】
0004465366.tif 000032
【図１６Ｄ】
0004465366.tif 000033
【図１７】
0004465366.tif 000034
【図１７Ａ】
0004465366.tif 000035
【図１８】
0004465366.tif 000036
【図１８Ａ】
0004465366.tif 000037
【図１８Ｂ】
0004465366.tif 000038
【図１９】
0004465366.tif 000039
【図２０】
0004465366.tif 000040
【図２１】
0004465366.tif 000041
【図２２】
0004465366.tif 000042
【図２３】
0004465366.tif 000043
【図２３Ａ】
0004465366.tif 000044